(57)【要約】【課題】バラセグ型の送信システムにおいて、エリア周波数内でガードバンドが占める割合を減らし、送信チャンネルとなるセグメント数を増加させる。【解決手段】1/7MHzをサブチャンネルとし１セグメントを3/7MHzとするARIB STD-B29に準拠し、１３セグメントの地上デジタルテレビジョン放送の帯域がエリア周波数として割り当てられ、エリア周波数内にそれぞれ１セグメント相当の帯域が送信チャンネルとして配置される場合に、送信チャンネル間のガードハンドを1/7MHzとして、エリア周波数内にそれぞれ１セグメント相当の送信チャンネルを順に配置する。【選択図】      図３
2014036424.tif 000002
【特許請求の範囲】
【請求項１】
1/7MHzをサブチャンネルとし１セグメントを3/7MHzとするARIB STD-B29に準拠し、１３セグメントの地上デジタルテレビジョン放送の帯域がエリア周波数として割り当てられ、前記エリア周波数内にそれぞれ１セグメント相当の帯域が送信チャンネルとして配置される送信システムであって、
送信チャンネル間のガードハンドを1/7MHzとして、前記エリア周波数内にそれぞれ前記１セグメント相当の送信チャンネルを順に配置してなる送信システム。
【請求項２】
前記エリア周波数内において、中央に前記１セグメント相当の送信チャンネルを配置し、前記カードバンドを設けて順に送信チャンネルを配置する請求項１記載の送信システム。
【請求項３】
前記エリア周波数内において、中央から2/7MHz周波数分低い周波数に前記１セグメント相当の送信チャンネルを配置し、前記カードバンドを設けて順に送信チャンネルを配置する請求項１記載の送信システム。
【請求項４】
1/7MHzをサブチャンネルとし１セグメントを3/7MHzとするARIB STD-B29に準拠し、１３セグメントの地上デジタルテレビジョン放送の帯域がエリア周波数として割り当てられ、前記エリア周波数内にそれぞれ１セグメント相当の帯域が送信チャンネルとして配置される送信システムに用いられ、
送信チャンネル間のガードハンドを1/7MHzとして、前記エリア周波数内にそれぞれ前記１セグメント相当の送信チャンネルを順に配置してなる送信方法。
【請求項５】
前記エリア周波数内において、中央に前記１セグメント相当の送信チャンネルを配置し、前記カードバンドを設けて順に送信チャンネルを配置する請求項４記載の送信方法。
【請求項６】
前記エリア周波数内において、中央から2/7MHz周波数分低い周波数に前記１セグメント相当の送信チャンネルを配置し、前記カードバンドを設けて順に送信チャンネルを配置する請求項４記載の送信方法。
【発明の詳細な説明】
【技術分野】
【０００１】
本発明の実施形態は、セグメント単位で互いに独立した複数の送信チャンネルを形成する送信システムとその送信方法に関する。
【背景技術】
【０００２】
ホワイトスペースを利用したエリア放送型システムの一つの形態として、いわゆるバラセグ型のシステムが検討されている。このバラセグ型とは、地上デジタル放送方式におけるセグメント方式を利用し、エリアに割り当てられた周波数帯域を複数のセグメントに分割し、個々のセグメントを互いに独立した送信チャンネルとする。この方式によれば、エリア内の複数の送信点からそれぞれ別の放送内容を送信可能なシステムが実現される。
【０００３】
ところが、このバラセグ型の送信システムでは、各々の送信波が独立した信号であるため、複数のセグメントを束ねた、いわゆる束セグのような連結送信システムとは異なり、各々の送信波の干渉を避けるために、各セグメント間にガードバンドを設ける必要がある。現状では、そのガードバンドをセグメント単位に設定することが検討されている。
【先行技術文献】
【特許文献】
【０００４】
【特許文献１】特開２００９−２１２５７７号公報
【発明の概要】
【発明が解決しようとする課題】
【０００５】
以上のように、エリア放送型の送信システムの一形態として注目されるバラセグ型は、セグメント単位のチャンネル間に生じる干渉を回避するために、セグメント間にガードバンドを設ける必要があるが、このガードバンドをセグメント単位とした場合、エリア割り当て周波数帯域の十分な有効利用を図れなかった。
【０００６】
本実施形態の目的は、エリア割り当て周波数帯域内でガードバンドが占める割合を減らすことができ、これによって送信チャンネルとして利用可能なセグメント数を増加することのできる送信システムとその送信方法を提供することにある。
【課題を解決するための手段】
【０００７】
本実施形態に係る送信システムは、1/7MHzをサブチャンネルとし１セグメントを3/7MHzとするARIB STD-B29に準拠し、１３セグメントの地上デジタルテレビジョン放送の帯域がエリア周波数として割り当てられ、前記エリア周波数内にそれぞれ１セグメント相当の帯域が送信チャンネルとして配置されるシステムであって、送信チャンネル間のガードハンドを1/7MHzとして、前記エリア周波数内にそれぞれ前記１セグメント相当の送信チャンネルが順に配置される態様とする。
【０００８】
本実施形態に係る送信方法は、1/7MHzをサブチャンネルとし１セグメントを3/7MHzとするARIB STD-B29に準拠し、１３セグメントの地上デジタルテレビジョン放送の帯域がエリア周波数として割り当てられ、前記エリア周波数内にそれぞれ１セグメント相当の帯域が送信チャンネルとして配置されるシステムに用いられ、送信チャンネル間のガードハンドを1/7MHzとして、前記エリア周波数内にそれぞれ前記１セグメント相当の送信チャンネルが順に配置される態様とする。
【図面の簡単な説明】
【０００９】
【図１】実施形態に係る送信システムの概要を示す概念図。
【図２】現在提案されているバラセグ周波数配置例を示す図。
【図３】図１に示す実施形態のシステムにおけるバラセグ周波数配置の第１の具体例を示す図。
【図４】図１に示す実施形態のシステムにおけるバラセグ周波数配置の第２の具体例を示す図。
【発明を実施するための形態】
【００１０】
以下、図面を参照しながら本実施形態に係る送信システムを説明する。
【００１１】
図１は、本実施形態に係る送信システムの概要を示す概念図である。図１において、Ｔ１〜Ｔ９はそれぞれ１セグメントに相当するチャンネル周波数Ｆ１〜Ｆ９のいずれかが割り当てられ、互いに異なる１セグメント周波数帯で放送波を送信する１セグ送信装置である。
【００１２】
図２は、現在提案されているバラセグ周波数配置例を示すもので、（ａ）に示す地上デジタルテレビジョン放送の１３セグメント（1/7MHz×３×１３）周波数配置に対して、現在提案中のバラセグ型システムでは、（ｂ）に示すように中央セグメントをワンセグ型システムと同様とし、セグメント間のガードバンドを１セグメント相当、すなわち3/7MHzとしている。この方式の場合、帯域内に入るセグメント数は７となり、半分近くが未使用領域となるため、周波数利用効率が悪い。
【００１３】
一方、バラセグ型の送信システムのベースとなっているARIB STD-BS9では、サブチャンネル上の配置（1/7MHz）を考慮すると、既存の受信機がサブチャンネル上で配置されるとすれば、親和性が高く変更の影響が少ない。そこで、本実施形態では、図４に示すように、ガードバンドをその最少単位である1/7MHzとし、受信機への影響を抑えつつ受信時の干渉を確保し、送信可能なセグメント数（チャンネル数）を９まで増加する。これにより、周波数利用効率を高めることができ、エリア内で同時に送信可能な情報量を飛躍的に増大させることができる。
【００１４】
ところで、バラセグ型の送信システムにおいて、中央セグメントに送信チャンネルが設置されるワンセグ型システムと組み合わせることを前提とした場合には図３に示すような周波数配置となるが、図４に示すように、中央セグメントを2/7MHz周波数分低くすることで１３セグメントの地上デジタルテレビジョン放送の帯域で１０チャンネルの送信波の配置が可能となる。
【００１５】
このような配置にすると、中央セグメントは現行のワンセグ受信機では受信できなくなるが、受信機側でエリア割り当て周波数内をサーチする機能を持たせることによって、全チャンネルを受信可能となる。よって、中央セグメントのみ受信可能な端末がすでに多く存在することによる各送信チャンネル間の不公平感を払拭できるという副次的な効果も期待される。
【００１６】
尚、上記実施形態はそのままに限定されるものではなく、実施段階ではその要旨を逸脱しない範囲で構成要素を変形して具体化できる。また、上記実施形態に開示されている複数の構成要素の適宜な組み合わせでもよい。例えば、実施形態に示される全構成要素から幾つかの構成要素を削除してもよい。さらに、異なる実施形態にわたる構成要素を適宜組み合わせてもよい。
【符号の説明】
【００１７】
Ｔ１〜Ｔ９…１セグ送信装置、１１…オーディオデータエンコーダ、１２…映像データエンコーダ、１３…文字スーパー入力装置、１４…番組情報入力装置、１５はＥＣＭ（Entitlement Control Message）入力装置、１６…ＥＭＭ入力装置、１７…１セグミキサ、１８…スクランブラ。
【図１】
2014036424.tif 000003
【図２】
2014036424.tif 000004
【図３】
2014036424.tif 000005
【図４】
2014036424.tif 000006